(57)【特許請求の範囲】
【請求項１】
パチンコ球を貯留する皿部を有する球受皿本体と、前記球受皿本体の外方に突出する操作部及び球抜き孔を開閉する幅広の板状部を一体に有し、かつ操作部を押すことにより回動支軸を中心として回動する操作レバーと、該操作レバーを球抜き孔を閉止する位置に付勢する付勢部材とからなり、
前記回動支軸に挿通する操作レバーの軸通孔を回動支軸の直径より大きく形成して該操作レバーを回動支軸と軸通孔との間の隙間の範囲内で移動自在なように設けると共に、球受皿本体又は操作レバーのいずれか一方に円弧状のガイド部と係合部とを有する規制片を、他方には係合突起を設け、操作レバーを付勢部材により付勢して係合部と係合突起とを係合させることにより操作レバーを球抜き孔を開放する位置に保持するようにしたことを特徴とするパチンコ機における球受皿の球抜き装置。
【請求項２】
前記軸通孔を楕円孔とし、前記係合突起と前記係合部とが係合した状態において該楕円孔の長手方向と前記係合部とが直線上に位置するようにしたことを特徴とする請求項１記載のパチンコ機における球受皿の球抜き装置。
【発明の詳細な説明】
【０００１】
【発明の属する技術分野】
本発明は、パチンコ機の前面に取着される球受皿の球抜き装置に関し、特に球抜き孔を開放状態に保持し得るようにしたパチンコ機における球受皿の球抜き装置に関するものである。
【０００２】
【従来の技術】
従来、球受皿の球抜き孔を開放状態に保持し得るようにしたパチンコ機における球受皿の球抜き装置として、例えば特公平３−５３９５４号公報のものが知られている。
【０００３】
この従来の球受皿の球抜き装置は、球受皿の球抜き孔を開閉する摺動体と、球受皿の係合部に係脱自在なように設けられた係止部材と、係合部と係止部材との係合を外す押圧部材とを備え、係止部材を係合部に係合させることにより摺動体を球抜き孔を開放する位置に拘束すると共に、押圧部材を押圧操作して係合部と係止部材との係合を解除することにより摺動体を球抜き孔を閉止する位置に移動させるようになっていた。
【０００４】
【発明が解決しようとする課題】
上記した従来のパチンコ機における球受皿の球抜き装置は、摺動体，係止部材，押圧部材をそれぞれ付勢する付勢部材を必要とするため、部品点数が増加し、しかも構造が複雑で組立てに手間が掛かりコストアップにつながっていた。
【０００５】
本発明は、上記した問題点に鑑みてなされたもので、その目的とするところは、部品点数が少なく、かつ簡単な構造で球受皿の球抜き孔を開放状態に保持し得るようにしたパチンコ機における球受皿の球抜き装置を提供することにある。
【０００６】
【課題を解決するための手段】
上記目的を達成するために、本発明のパチンコ機における球受皿の球抜き装置は、パチンコ球を貯留する皿部を有する球受皿本体と、前記球受皿本体の外方に突出する操作部及び球抜き孔を開閉する幅広の板状部を一体に有し、かつ操作部を押すことにより回動支軸を中心として回動する操作レバーと、該操作レバーを球抜き孔を閉止する位置に付勢する付勢部材とからなり、前記回動支軸に挿通する操作レバーの軸通孔を回動支軸の直径より大きく形成して該操作レバーを回動支軸と軸通孔との間の隙間の範囲内で移動自在なように設けると共に、球受皿本体又は操作レバーのいずれか一方にガイド部と係合部とを有する規制片を、他方には係合突起を設け、操作レバーを付勢部材により付勢して係合部と係合突起とを係合させることにより操作レバーを球抜き孔を開放する位置に保持するようにしたものである。
【０００７】
上記のように構成されたパチンコ機における球受皿の球抜き装置は、操作レバーの操作部を指で押して該操作レバーを付勢部材の付勢に抗して回動することにより球抜き孔を開放する。そして、操作レバーが球抜き孔を開放する位置まで回動したとき、操作部から指を離すと該操作レバーが回動支軸と軸通孔との間の隙間により軸方向に移動して係合部と係合突起とが係合し、操作レバーを球抜き孔を開放する位置に保持する。また、この状態で操作部を指で押して操作レバーを軸方向に移動させると係合部と係合突起との係合が外れ、これにより操作レバーが付勢部材の付勢により元の位置に回動して球抜き孔を閉止する。
【０００８】
なお、本発明のパチンコ機における球受皿の球抜き装置は、パチンコ機の前面枠の前面に設けられる下部球受皿又は打球供給用球受皿のいずれにも適用可能である。
【０００９】
【発明の実施の形態】
次に、図面を参照して本発明の実施の形態について説明する。図１はパチンコ機の正面図であり、１はパチンコ機の機枠、２は機枠１の前面に開閉自在に装着された前面枠である。前面枠２は、ほぼ中央に窓孔が形成された額縁状に形成されており、該窓孔の上部にガラス扉３が、その下部に前面板４がそれぞれ開閉自在に設けられている。前記ガラス扉３の後方であり、前面枠２の窓孔の裏面部分には遊技盤５が着脱自在に取付けられている。この遊技盤５の前面には円状の誘導レール６が設けられており、その誘導レール６で囲まれる領域が遊技領域として構成されている。また、前記前面板４の前面には誘導レール６の発射位置にパチンコ球を供給する打球供給用の上部球受皿７が設けられており、前面枠２の前面下部には、上部球受皿７から溢出する余剰球を貯留する下部球受皿８が設けられている。
【００１０】
次に、図２を参照して下部球受皿８の構成について説明する。下部球受皿８は、前面枠２の前面に取付ける球受皿本体９と、パチンコ球を貯留する皿部１０を有し、該皿部１０の底部には球抜き孔１１が開設されている。また、皿部１０の底部下面には皿状の支持枠１２が複数のビス１３により固着されており、該支持枠１２には球抜き孔１１と相対する位置に該球抜き孔１１とほぼ同じ大きさの円形孔１４が設けられている。
【００１１】
しかして、前記皿部１０と支持枠１２との間に挟まれるように操作レバー１５が設けられている。この操作レバー１５は、支持枠１２の開口部１６から外方へ突出する山形状の操作部１７と該操作部１７から後方へ延びるレバー部１８と球抜き孔１１を開閉する幅広の板状部１９とを一体に有し、そのレバー部１８の基部に軸通孔２０が設けられている。そして、軸通孔２０を支持枠１２に突設した回動支軸２１に挿通して該回動支軸２１を中心に回動自在なように支持されている。また、操作レバー１５には付勢部材としてのスプリング２６の一端が連結されている。このスプリング２６は図３における右方向、すなわち操作レバー１５を常に板状部１９が球抜き孔１１を閉止する方向に付勢するようになっている。このとき操作部１７の一方の押圧部１７ａが支持枠１２の開口部１６から外方へ突出され、他方の押圧部１７ｂは後退して開口部１６とほぼ同じ位置に置かれている。
【００１２】
しかして、前記操作レバー１５のレバー部１８の長さ方向のほぼ中間位置であり、かつ支持枠１２の上面と相対する裏面側に係合突起２２が一体に設けられている。また、操作レバー１５の軸通孔２０は、回動支軸２１の直径より大きい円孔として形成されており、操作レバー１５が回動支軸２１と軸通孔２０との間の隙間の範囲内で軸方向に移動できるようになっている。
【００１３】
一方、操作レバー１５の係合突起２２に対応する支持枠１２の上面には、円弧状のガイド部２３と係合部２４とを有する規制片２５が突設されている。この規制片２５のガイド部２３は図３に示すように操作レバー１５の板状部１９が球抜き孔１１を閉止している状態において、該操作レバー１５の係合突起２２と接触状に位置させて操作レバー１５の軸方向への移動を規制するようになっている。また規制片２５の係合部２４は図４に示すように操作レバー１５の板状部１９が球抜き孔１１を開放している状態において、該操作レバー１５の係合突起２２が係合し得るようになっている。
【００１４】
次に、上記した球受皿の球抜き装置の作用について図３及び図４を参照して説明する。まず、図３実線で示すように操作レバー１５の板状部１９が球抜き孔１１を閉止している状態において、操作レバー１５の操作部１７の一方の押圧部１７ａを指で押すと、該操作レバー１５が図３鎖線のようにスプリング２６の付勢に抗して回動支軸２１を中心に反時計廻り方向に回動する。このとき、操作レバー１５はスプリング２６の付勢により回動支軸２１と軸通孔２０との間の隙間によって前方に移動しようとするが係合突起２２が規制片２５のガイド部２３に接触してその前方への移動が規制される。
【００１５】
一方、図４実線で示すように操作レバー１５が球抜き孔１１を開放する位置まで回動すると該操作レバー１５の係合突起２２が規制片２５のガイド部２３から外れる。しかして、このとき操作部１７の押圧部１７ａから指を離して押圧を解除すると操作レバー１５がスプリング２６による付勢と回動支軸２１と軸通孔２０との間の隙間により前方に移動して係合突起２２が規制片２５の係合部２４に係合し、該操作レバー１５をその回動位置に保持する。このため、操作レバー１５から指を離しても該操作レバー１５は球抜き孔１１を開放した状態に保持されることになり、皿部１０のパチンコ球は球抜き孔１１から下方に落下して球箱等に収められる。
【００１６】
次に、球抜き孔１１を閉止するには、図４実線の状態において操作レバー１５の操作部１７の他方の押圧部１７ｂを指で押すと、同図鎖線で示すように操作レバー１５が回動支軸２１と軸通孔２０との間の隙間により後方に押されて係合突起２２が規制片２５の係合部２４から外れる。このため、操作レバー１５はスプリング２６の付勢により回動支軸２１を中心に時計廻り方向に回動して図３実線で示す元の位置に戻り板状部１９により球抜き孔１１を閉止する。
【００１７】
なお、上記した実施の形態では、操作レバー１５の軸通孔２０を円孔として示したが、楕円孔であってもよい。この場合、係合突起２２と係合部２４とが係合した状態において楕円孔の長手方向と規制片２５の係合部２４とが直線上に位置するようにすることによりその係合状態を確実に保持することができる。また、前記した実施の形態では操作レバー１５に係合突起２２を設け、該係合突起２２に対応する支持枠１２の上面にガイド部２３と係合部２４とを有する規制片２５を設けたものを示したが、図５に示すように操作レバー１５に規制片２５を設け、支持枠１２の上面に係合突起２２を設けるようにしてもよい。この場合、係合突起２２の側面がガイド部２３の用を果すことになる。さらに、図６に示すように操作レバー１５の操作部１７の一方の押圧部１７ａを指が掛け易い形状とすることにより、操作レバー１５を指で自然に前方に移動させることができて係合突起２２と係合部２４との係合をより確実に行わせることができる。
【００１８】
【発明の効果】
以上、説明したところから明らかなように、本発明においては、操作レバーを指で押すだけの簡単な操作で該操作レバーを球抜き孔を開放する位置に保持し、又はその保持を解除して球抜き孔を閉止することができるので、球受皿に貯留されるパチンコ球の球抜き操作を極めて容易に行うことができる。
【００２０】
また、操作レバーに球抜き孔を開閉する板状部を一体に設けたものであるから、構造が非常に簡単で部品点数が少なくて済み、コストダウンを図ることができる。
【図面の簡単な説明】
【図１】本発明が適用されるパチンコ機の正面図である。
【図２】下部球受皿の分解斜視図である。
【図３】球抜き孔を閉止した状態の要部平面図である。
【図４】球抜き孔を開放した状態の要部平面図である。
【図５】他の実施の形態の要部平面図である。
【図６】操作レバーの他の実施の形態の斜視図である。
【符号の説明】
９        球受皿本体
１０      皿部
１１      球抜き孔
１５      操作レバー
１８      板状部
２０      軸通孔
２１      回動支軸
２２      係合突起
２３      ガイド部
２４      係合部
２５      規制片
２６      スプリング（付勢部材）
【図１】
0003944290.tif 000002
【図２】
0003944290.tif 000003
【図３】
0003944290.tif 000004
【図４】
0003944290.tif 000005
【図５】
0003944290.tif 000006
【図６】
0003944290.tif 000007